(57)【要約】【課題】本発明は、男性の睾丸機能が衰えを防止し、排尿障害状態を改善させることで睾丸の機能が活発化され、前立腺疾患が予防されると同時に、放尿の終了も良くなり、残尿感又は排尿後尿滴下現象等の排尿障害現象が減少することにより、生活の質の向上にもつながる男性の排尿障害改善用睾丸支持帯を提供するところにその目的がある。【解決手段】バンド型弾性部材（１０）の内面又は外面に陰嚢支持パッド（２０）を縫着したことを特徴とする男性の排尿障害改善用睾丸支持帯であり、上記弾性部材（１０）は織ゴムバンドであり、上記陰嚢支持パッド（２０）は綿織布のバンド織物である男性の排尿障害改善用睾丸支持帯である【選択図】図２
2013230341.tif 000002
【特許請求の範囲】
【請求項１】
バンド型弾性部材（１０）の内面又は外面に陰嚢支持パッド（２０）を縫着したことを特徴とする男性の排尿障害改善用睾丸支持帯。
【請求項２】
請求項１において、上記弾性部材（１０）は織ゴムバンドであり、上記陰嚢支持パッド（２０）は綿織布のバンド織物である男性の排尿障害改善用睾丸支持帯。
【請求項３】
請求項１又は請求項２において、上記弾性部材（１０）は直線形又は環状形、陰嚢支持パッド（２０）は長方形、楕円形、二重台形又はこれらの組合せ型である男性の排尿障害改善用睾丸支持帯。
【請求項４】
請求項３において、上記弾性部材（１０）と上記陰嚢支持パッド（２０）の幅の比は睾丸が安定して維持されうる比率である男性の排尿障害改善用睾丸支持帯。
【請求項５】
請求項４において、上記弾性部材（１０）と陰嚢支持パッド（２０）の幅の比は約１：１〜１：１．５、長さの比は約１：５〜１：５．５である男性の排尿障害改善用睾丸支持帯。
【請求項６】
請求項１において、上記弾性部材（１０）はバンド型の補助弾性部材（１０’）（１０”）により着用性が向上するものである男性の排尿障害改善用睾丸支持帯。
【請求項７】
請求項１に記載された男性の排尿障害改善用睾丸支持帯（Ｓ）のバンド型弾性部材（１０）を切断し又は切断することなく通常の男性用三角パンツ（Ｑ）の腰のゴムバンド（Ｂ）後半部位の内面又は外面に縫い合わせたことを特徴とする男性の排尿障害改善用睾丸支持帯付着の男性用パンツ。
【発明の詳細な説明】
【技術分野】
【０００１】本発明は排尿障害を改善するための手段に関するもので、特に排尿障害等の泌尿器機能障害、例えば老齢化、前立腺肥大症等による排尿困難を克服するのに有益な陰嚢支持帯（本発明ではこれを「睾丸支持帯」と称す）に関するものである。
【背景技術】
【０００２】睾丸は男性のシンボルである生殖巣で、解剖学的には３大細胞、すなわち成熟した精子に分化する胚芽細胞、支持体の役割を担うセルトリ細胞及びテストステロン分泌細胞と呼ばれるライディッヒ細胞で構成されており、陰嚢の左右に１つずつ入っている。睾丸は男性ホルモンの影響で生殖ホルモンである精子を生産する場所であるのみならず、力の源泉、生命の出発点といえるところである。睾丸の機能が衰弱すると、いわゆる一種の男性機能障害、例えば排尿障害というかたちで現れる。排尿障害とは正常の排尿以外の状態をいい、医学的原因としては膀胱疾患、前立腺疾患、尿道疾患、神経医学的原因等様々あることが知られている。【０００３】    男性は平均的に２４歳までは生殖機能が上昇するが、２４歳を過ぎると細胞機能が自滅し始め、同時に生殖機能が衰弱するようになり、それにより陰嚢が下に垂れ下がり睾丸が下にぶら下がるようになる。その後、加齢につれて睾丸括約筋が衰える等、睾丸機能の衰退により、排尿が始まるまで膀胱に小便をためておく筋肉構造物である尿道括約筋の機能も弱くなり、男性特有の成人病につながる前立腺が弛緩し、陰嚢がさらに下に垂れ下がるので、射精機能までも衰弱するのみならず、排尿時にいくら力を入れても尿道に力が及ばず、残尿感の増加又は頻尿、細尿（乏尿）、排尿後尿滴下、尿失禁現象等の不快感の増加により、生活の質を低下させるようになる。【０００４】  本発明者は平素陰嚢を少し上側に持ち上げて維持する生活を続けることで、そのような排尿障害が大きく改善されるという事実を知り、本発明に至った。これはおそらく睾丸が上側に持ち上げられて維持されることで陰嚢、さらには尿道括約筋を始めとした睾丸括約筋が圧迫されず、尿道括約筋の持久力が強化されるからではないかと思われる。【０００５】最近では、陰嚢を体温より２〜３℃低く維持するのが性機能障害を克服するのに良いという既知の常識に基づいた発明又は考案が発表されている。例えば、韓国特許第１０−０９１６７０７号には陰茎と陰嚢を分離収容できる男性用機能性パンツが記載されているが、ここにはこのような陰茎と陰嚢が分離収容されれば通気性が改善され、陰嚢の温度を体温以下に維持することで性機能障害問題を解決するのに有利であると説明されている。これと同一・類似の目的で、同じような構成をなす機能性パンツは韓国公開特許公報第２００１−００４４２１９号、第２００２−００６８６９２号、韓国公開実用新案公報第１９９９−０４５０７号、韓国登録実用新案第０３０１２７４号、第０２２６２９７号、第０２４５０２３号、第０２６１８２１号、第０３６２２０４号、第０３６８７２６号等に記載されている。韓国公開実用新案公報第０６８５８６号に記載されているものもまた、陰茎と陰嚢を分離して収容するための単回使用陰茎・陰嚢小袋に関するものである。【０００６】    また、韓国登録実用新案第０４１５３９８号、韓国公開特許公報第２０１０−０１２９４９０号及び第２００７−００１９０７８号には陰嚢が股間に触れないようにするため、陰茎と陰嚢の間及び／又は陰嚢と股間の間にＵ字型又はＹ字型に裁断された布や帯をベルトに縫い付け、陰茎と陰嚢が露出されるように構成したオープン型パンツ又��防湿パンツが各々記載されている。【０００７】しかし、上記各特許及び実用新案による男性用機能性パンツは共通して陰茎と陰嚢を分けて着用するパンツとしての機能を主とするものである。【０００８】すなわち、上記先行特許文献は男性パンツに陰茎小袋と陰嚢小袋を別々に構成し、着用時に陰嚢が陰茎に付かないよう別途に収容することで陰茎と陰嚢の間に匂いや汗が付かないように考案されたもので、陰嚢、さらには睾丸を上側に少し持ち上げてくれる機能を主な目的とするための発明・考案ではなかった。【０００９】今まで排尿障害を改善するための睾丸支持帯が考案されたり実用化に成功した例はない。上記「睾丸支持帯」において、「支持帯」という用語はバンド（ｂａｎｄ）、すなわち帯状の支持手段を指すものである。
【発明の概要】
【発明が解決しようとする課題】
【００１０】本発明は、男性の睾丸機能が衰えを防止し、排尿障害状態を改善させることで睾丸の機能が活発化され、前立腺疾患が予防されると同時に、放尿の終了も良くなり、残尿感又は排尿後尿滴下現象等の排尿障害現象が減少することにより、生活の質の向上にもつながる男性の排尿障害改善用睾丸支持帯を提供するところにその目的がある。
【課題を解決するための手段】
【００１１】前述した本発明の目的は、次の如く本発明の手段により解決されうる。【００１２】１．バンド型弾性部材の内面又は外面に陰嚢支持パッドを縫着したことを特徴とする男性の排尿障害改善用睾丸支持帯。【００１３】２．第１項において、上記弾性部材は織ゴムバンド、上記陰嚢支持パッドは綿織布のバンド織物である上記第１項に記載された男性の排尿障害改善用睾丸支持帯。【００１４】３．第１項又は第２項において、上記弾性部材は直線形又は環状形、上記陰嚢支持パッドは長方形、楕円形又は二重台形である男性の排尿障害改善用睾丸支持帯。【００１５】４．第３項において、上記弾性部材と上記陰嚢支持パッドの幅の比は睾丸が安定して維持されうる比率である男性の排尿障害改善用睾丸支持帯。【００１６】５．第４項において、上記弾性部材と上記陰嚢支持パッドの幅の比は１：１〜１：１．５、長さの比は約１：５〜１：５．５である男性の排尿障害改善用睾丸支持帯。【００１７】６．第１項において、上記弾性部材はバンド型の補助弾性部材により着用力が強化される男性の排尿障害改善用睾丸支持帯。【００１８】７．第１項に記載された男性の排尿障害改善用睾丸支持帯の弾性部材を切断し又は切断することなく、通常の男性用パンツの腰のゴムバンド後半部位の内面又は外面に裁縫して縫い合わせたことを特徴とする男性用の排尿障害改善用睾丸支持帯が付着された男性用パンツ。
【発明の効果】
【００１９】高齢化等により排尿障害がある男性が本発明の排尿障害改善用睾丸支持帯を続けて着用すると、陰嚢が常に下側から上側に持ち上げられることで、陰嚢・睾丸が下側に垂れ下がるのを防止する効果と、これにより男性の排尿機能衰弱を防止し、前立腺関連疾患を始めとする各種泌尿障害疾患を予防すると共に、放尿の強度を増大させることで男性の残尿感や排尿後尿滴下現象を減少させる効果、すなわち排尿障害改善効果がある
【図面の簡単な説明】
【００２０】図１（ａ）は本発明の基本構造を示す正面図図１（ｂ）は図１（ａ）の背面図図２（ａ）から図２（ｂ）までは本発明製品の製作工程の概要を示した概略図図３はその他の形状の本発明製品の例図図４は本発明の睾丸支持帯の着用例を左側から見た概略図図５（ａ）は本発明の睾丸支持帯を一般的な男性用四角パンツに結合した状態の例図、図５（ｂ）は図５（ａ）の場合を右側から見た概略図、図６（ａ）と図６（ｂ）及び図７は各々本発明の睾丸支持帯のその他の応用例を示した概略図である。
【発明を実施するための形態】
【００２１】以下、本発明を添付した図面に従い詳細に説明する。図１（ａ）は完成した本発明の睾丸支持帯Ｓの概略図である。上記睾丸支持帯Ｓの主要構成部分は、バンド型弾性部材（１０）とその外面（１１）又は内面（１２）の一定部位に縫着された陰嚢支持パッド（ｐａｄ）（２０）の２つの部分に大別される。図示された例は上記陰嚢支持パッド（２０）が弾性部材（１０）の外面（１１）に縫着された例を示したものである。ここで、「縫着」という用語は裁縫して付着させる作業をいう。
【００２２】上記弾性部材（１０）としては、例えばパンツ、パジャマ、運動着（トレーニングウエア）、ズボン等の衣類用に市販されている織ゴムバンドと呼ばれるものを使用することもできる。その寸法もまた一般の織ゴムバンドと異なるものではなく、幅の寸法には限定がなく、市販品（例：幅２．５〜３．０ｃｍ）を必要に応じて身体に合わせて、例えば約６５〜８０ｃｍ範囲の長さに切断したものを使用することもできる。上記弾性部材（１０）を本発明の目的に合うようあらかじめ所定の寸法の環状形に製作しておけば、これをそのまま容易に使用できる。
【００２３】一般的に、上記陰嚢支持パッド（２０）は弾性又は非弾性を問わず、長方形又は楕円形、二重台形又はこれらの組合せ型でも良い。着用時に陰嚢及びその周囲の身体表皮に対する摩擦等の影響を与えず、通気性が良好で汗をよく吸収するように、例えば柔らかい綿織布バンドであるのが望ましい。必要に応じて柔らかい綿製メッシュ素材のバンドを使用することもできる。しかし、その材料の形状や種類に限定があるものではない。弾性部材（１０）と陰嚢支持パッド（２０）の幅の比は約１：１〜１：１．５、長さの比は約１：５〜１：５．５としているが、必ずしもこれに限定されるものではない。
【００２４】本発明を説明する際、上記「約」という表現は、市販中の弾性部材の材料と陰嚢小袋の材料の規格に従いその幅及び長さの数値において、数ｍｍ以上１ｃｍ未満の違いが許容されうるためという意味である。
【００２５】図１（ｂ）は図１（ａ）の矢印Ａの方向から見た概略図で、弾性部材（１０）の外面（１１）に長方形の陰嚢支持パッド（２０）を縫着させた例を示したものであり、弾性部材（１０）の幅と陰嚢支持パッド（２０）の幅の比が１：１．５の場合を図示したものである。図１（ｂ）では、陰嚢支持パッド（２０）の上翼（２１）及び下翼（２２）が各々弾性部材（１０）の上下縁から互いに均等な幅で形成された状態を示している。前述した弾性部材（１０）と陰嚢支持パッド（２０）の幅の比からわかるように、上記上翼及び／又は下翼が形成されない場合もある。また、上記上翼・下翼のいずれか一つ、例えば後述の図３（ａ）に示すとおり、陰嚢支持パッド（２０）を下翼（２２）のみ形成されるように縫着させることもできる。上記弾性部材（１０）と陰嚢支持パッド（２０）の幅が互いに同一の場合には、上記陰嚢支持パッド（２０）の上記上翼・下翼部分は形成されない。また、前述のとおり陰嚢支持パッド（２０）は楕円形又は二重台形の形状で構成しても良い。上記縫着作業の結果、いくつかの裁縫線（１３）が生じる。上記２つの部材の詳細な付着方法と、未説明の符号１６については図２に関連して後述する。
【００２６】本発明を実施する際、弾性部材（１０）として幅２．４ｃｍの綿製ゴムバンドと、陰嚢支持パッド（２０）として幅３．５ｃｍ×長さ１６ｃｍの綿製バンドを使用した。しかし、既に言及したとおり、上記寸法に特定の範囲があるのではなく、成人男性の標準身体の寸法に従って大きさを調整できるものである。
【００２７】図２には上記２つの部材（１０、２０）を共に縫着させて、本発明の睾丸支持帯Ｓを製作する方法が図示されている。すなわち、図２（ａ）に概略的に示したとおり、所定規格のバンド型弾性部材（１０）の外面（１１）に、所定規格の陰嚢支持パッド（２０）を裁縫して縫着させることで本発明の睾丸支持部材Ｓが簡単に構成される。この場合、図示のとおり、弾性部材（１０）が環状形バンドでない直線形バンドの場合、弾性部材（１０）の両側末端部（１４、１５）を陰嚢支持パッド（２０）の内側の一方の端辺り（図２（ａ）では左側）に来るよう互いに密接させて縫着することで、例えば縫合部（１６）が形成される。この縫合部（１６）の位置は裁縫しやすいように変えることができ、それが腰や脇腹等の身体部位に触れて皮膚を刺激しないように弾性部材（１０）の縦方向にかけて縫合部が突出しないよう図示のとおり処理するのが良い。図２（ａ）の例では陰嚢支持パッド（２０）の左側端辺りに縫合部（１６）が位置しているが、上記パッド（２０）の右側端辺り又は中央部辺り等どこに位置してもかまわない。弾性部材（１０）が直線形バンドでなく、環状形バンドである場合には縫合部（１６）は形成されない。上記縫合部（１６）は本発明の構成要件ではないが、直線バンド型の弾性部材を利用する場合は、そのように処理するのが製品の見た目からも有利である。
【００２８】便宜上、図１（ａ）、図１（ｂ）及び図２（ａ）、図２（ｂ）は各々長方形陰嚢支持パッド（２０）をバンド型弾性部材（１０）の外面（１１）に縫着して睾丸支持帯Ｓを構成する例を示しているが、陰嚢支持パッド（２０）を弾性部材（１０）の内面（１２）に縫着して睾丸支持帯Ｓを構成しても、本発明の目的を果たすための機能には何の差異もなく、陰嚢支持パッド（２０）の形状として長方形、楕円形、二重台形又はこれらの組合せ型のうちいずれのものを使用しても良い。
【００２９】図３（ａ）は長方形陰嚢支持パッド（２０）を、例えば下翼（２２）のみ形成されるよう直線バンド型弾性部材（１０）に縫着させた例を示した概略図であり、ここで上記弾性部材（１０）の両側末端部（１４、１５）の接合線（１６）は陰嚢支持部材（２０）が外面（１１）に縫い合わされている面の中心部辺りに形成されている。図３（ｂ）は陰嚢支持パッド（２０）として二重台形パッドを使用し、直線バンド型弾性部材（１０）の内面（１２）に縫着させた例の概略図である。上記図３（ｂ）において、幅が同一に表示された符号２１及び２２の部位は弾性部材（１０）の幅を覆って残った二重台形陰嚢支持パッド（２０）の上翼及び下翼である。ここで、図２（ｂ）に図示されたとおり縫合線（１６）は陰嚢支持パッド（２０）の外面に生じるので、図３（ｂ）では見えない。
【００３０】図４は本発明の睾丸支持帯Ｓを着用した状態を左側から見た概略図で、陰嚢（図示されていない）は陰嚢支持パッド（２０）により覆われているが、弾性部材（１０）自体の張力作用により、例えば陰茎を若干水平以上に維持できる程度に陰嚢が上側に持ち上げられるようになる。上記睾丸支持帯Ｓを着用した後にパンツ等の下着を自由に着用できる。未説明の符号Ｌは人の下半身を図示したものである。
【００３１】図５（ａ）は本発明の睾丸支持帯Ｓを通常の男性用四角パンツＰの腰ゴムバンドＢに縫着させた概念図である。ここで、睾丸支持帯Ｓは陰嚢支持パッド（２０）の反対側の弾性部材（１０）の中央部で切断し、そのままパンツＰの腰ゴムバンドＢの内側の脇腹部（Ｂ’、Ｂ”）、又はこの脇腹部より腰の後半部位側の適切な位置で上記腰ゴムバンド（Ｂ）に縫合させることができる。このとき、上記弾性部材（１０）を切断せずに、パンツＰの腰ゴムバンドＢの後半部位に従ってその上に直接裁縫することもできる。この場合、パンツＰの腰ゴムバンドＢの後半部位が若干厚くなった感じを受けるかも知れないが、着用にはもちろん機能においても何ら支障がない。図５（ｂ）は図５（ａ）のパンツＰを着用した例を右側から見た概略透視図である。
【００３２】図６（ａ）及び図６（ｂ）は単に本発明の睾丸支持帯Ｓのその他の可能な応用例を概略的に示したものである。例えば、図６（ａ）は図１に示した本発明の睾丸支持帯Ｓを応用する際に、弾性部材（１０）を身体の腰から陰嚢側に引き寄せて陰嚢（図示されていない）を少し持ち上げるようにする一方で、２本の補助弾性部材（１０’、１０”）の一方の端（１７’、１７”）と他の端（１８’、１８”）を上記弾性部材（１０）の左右腰の前方内面（１２）の適所と陰嚢支持パッド（２０）に各々縫着（又は着脱が自由にできるようボタンやホック、マジックテープで付着させることもできる）させたものを、股間を通って両側の大腿部に掛け着用するようにした例を示す。図示は省略したが、上記他の端（１８’、１８”）は上記縫着部（１７’、１７”）と陰嚢支持パッド（２０）の間の弾性部材（１０）左右の適所に各々縫着しても良い。上記縫着又は付着方式は本発明が属する技術分野における通常の知識を有する者には自明なことである。上記２本の補助弾性部材（１０’、１０”）は例示されたとおり、股間を通って大腿部と臀部が交わる部位に掛かるようになっているので、これにより弾性部材（１０）の着用性を向上させることができる。本発明はこれらの補助弾性部材（１０’、１０”）を必ずしも必要とするものではない。上記補助弾性部材（１０’、１０”）は弾性部材（１０）と同一の材料でも良いが、それに限定されるものではない。
【００３３】さらに、図７は本発明の睾丸支持帯Ｓが通常の男性用三角パンツＱの外面に付着された応用例を図示したものであり、三角パンツＱの内部の陰嚢（図示されていない）を少し持ち上げて支えるようにした構造となっている。男性用三角パンツＱの構造上、本発明の睾丸支持帯Ｓは上記男性用三角パンツＱの外部で腰ゴムバンドＢの後方部位に直接縫着されるのも良いが、男性用三角パンツの場合（図４）のように上記男性用三角パンツＱの内部で腰ゴムバンドＢに直接縫着させ、三角パンツの内部に来るようにすることもできる。
【００３４】以上の実施例及び応用例以外にも、本発明が属する分野における通常の知識を有する者であれば、本発明の範囲内で特段の困難なく本発明の睾丸支持帯Ｓの構成及びこの着用性向上の手段、パンツ等の下着と結合させる適用方法について、様々な変形及び修正を加えることができるであろうことは自明である。
【符号の説明】
【００３５】Ｓ：睾丸支持帯Ｂ：パンツの腰ゴムバンド１０：弾性部材２０：陰嚢支持パッド
【図１】
2013230341.tif 000003
【図２】
2013230341.tif 000004
【図３】
2013230341.tif 000005
【図４】
2013230341.tif 000006
【図５】
2013230341.tif 000007
【図６】
2013230341.tif 000008
【図７】
2013230341.tif 000009